(57)【要約】【課題】測定を行なわずとも故障の箇所を特定することができる機器を提供すること。【解決手段】  電力供給経路にそれぞれ表示素子例えば発光ダイオードＬＥＤ１〜ＬＥＤ８を設け、電源が投入されたらそれら発光ダイオードＬＥＤ１〜ＬＥＤ８をすべて点灯させる。電源が投入されている最中に、電力供給経路に断線などにより故障が発生したら、いずれかの発光ダイオードが消灯する。この発光ダイオードの表示態様の変化を外部から視認して故障箇所を特定する。【選択図】    図２
2005064935.tif 000002
【特許請求の範囲】
【請求項１】
複数の電圧の電力により動作する機器において、
電力の供給を受け、前記複数の電圧の電力を生成して出力するコンバータと、
前記コンバータから出力される複数の電圧の電力それぞれの電力供給経路に対応して各経路上に電力が供給されているか否かに応じて態様が変化する各表示素子とを備えたことを特徴とする機器。
【請求項２】
前記各表示素子は、この機器外部から視認されるものであることを特徴とする請求項１記載の機器。
【請求項３】
電池が装填される電池室を備え、前記コンバータは前記電池室に装填されている電池から電力の供給を受けるものであることを特徴とする請求項１記載の機器。
【請求項４】
この機器は、被写体像を捉えることにより撮影を行なうカメラであることを特徴とする請求項１記載の機器。
【発明の詳細な説明】
【技術分野】
【０００１】
本発明は、電源から電力を供給されその電力によって動作する機器に関する。
【背景技術】
【０００２】
市場に投入された機器の市場クレームとしてアフタサービスに持ち込まれ、その解析に苦労する案件として挙げられるものの中に電源廻りのトラブルがある。一般的に機器内には様々な電圧の電力の供給を受けて動作する装置、部品が多数組み込まれており、それらに効率良く電力の供給を行なう必要がある。そのため電源電圧例えば４８Vの電力を２４V、１２V、５Vといった様々な電圧にコンバートするコンバータを設けて、そのコンバータから機器内に組み込まれた装置および部品にあった電圧の電力をそれら装置および部品に供給している。また、このような機器においては、同じ電圧の電力の供給を受ける装置、部品であっても、別々に電力の供給が行なわれる場合もあり、このように電力供給ブロックを分けておくと、故障を最小限にくいとめることができて都合が良いこともある。しかし、このように電源廻りが複雑にブロック化されていると、電源廻りのトラブルに対処する際、各ブロックに電力を供給している電力供給経路に電力が供給されているか否かをオシロスコープなどの測定器を用いて、1つ1つ測定しなければならないため、故障箇所を特定するまでに非常に時間がかかる。
【０００３】
そこで、近年では機器内にＣＰＵがあるものであれば診断プログラムを付加し、また機器内にＣＰＵがないものであれば診断用のＣＰＵを付加しておき、故障箇所の特定を効率良く行なえるように改善している。しかしながら、電源周りの故障においてはＣＰＵ自体に電源が供給されないこともあり、そのときには診断プログラムによる診断を行なえないため、こういった場合にはオシロスコープなどの測定器を用いて故障箇所を特定する以外に手はない。
【０００４】
また、３相モータを駆動するインバータ電源装置をシーケンスにより制御する機器の中には、シーケンサの出力段に発光素子を設けることにより、シーケンサから信号が出力されているかどうかを検出して、電源装置を分解することなくシーケンサの出力部の故障を検出することができるものがある（特許文献１参照）。この特許文献１のものでは、シーケンサから確実に信号が出力されているかどうかを、発光素子を点灯させることによりチェックしている。しかしこの特許文献１のものは、シーケンサの出力部のフォトカップラなどの故障を検出するものであって、電力供給経路に電力の供給が行なわれているか否かを検出するものではなく、電力供給経路の故障を見つけ出すことができない。
【特許文献１】特開平０６−６９８１号公報
【発明の開示】
【発明が解決しようとする課題】
【０００５】
本発明は上記問題点を解決し、複数の電力供給経路を一々測定器で測定しなくても、電力が供給されていない電力供給経路の箇所を特定することができる機器を提供することを目的とするものである。
【課題を解決するための手段】
【０００６】
本発明は、複数の電圧の電力により動作する機器において、
電力の供給を受け、前記複数の電圧の電力を生成して出力するコンバータと、
前記コンバータから出力される複数の電圧の電力それぞれの電力供給経路に対応して各経路上に電力が供給されているか否かに応じて態様が変化する各表示素子とを備えたことを特徴とする。
【０００７】
本発明の機器によれば、例えば電力が供給されていれるときには点灯、電力が供給されていないときには消灯というように上記表示素子の態様を変化させれば、複数の電圧の電力それぞれの電力供給経路のどの部分が故障しているかがわかる。また、上記表示素子に複数のセグメントを持つ表示器を用いても良く、その場合には異なる数字などを表示することが態様の変化になり、どの部分が故障しているかがすぐに分かる。すなわち、上記態様を変化させる形態は、人の目に変化が生じるものであれば特に限定はなく、発光素子から発光された光を、例えば反射板を設けてその反射板の角度を変えて反射率を変化させて上記態様を変化させるものであっても良く、また、液晶シャッタなどを用いて発光素子からの光を透過させる率を変化させて上記態様を変化させるものであっても良く、異なる発光色の発光ダイオードを用いて色を変化させて上記態様を変化させるものであっても良い。
【０００８】
ここで、上記各表示素子は、この機器外部から視認されるものであることが好ましい。
【０００９】
そうすると、この機器を分解することが不要になり故障箇所がすぐに特定される。
【００１０】
この機器は、特に機器内に電源装置が配備されているものに限定されるものではなく、電池が装填される電池室を備え、上記コンバータは上記電池室に装填されている電池から電力の供給を受けるものであっても良い。このような電池から電力の供給を受ける機器の中には、被写体像を捉えることにより撮影を行なうカメラがある。
【発明の効果】
【００１１】
本発明によれば、複数の電力供給経路を一々測定器で測定しなくても、電力が供給されていない電力供給経路の箇所を特定することができる機器を提供することができる。
【発明を実施するための最良の形態】
【００１２】
以下図面を参照して本発明の実施の形態を説明する。
【００１３】
図１（ａ）、図１（ｂ）は機器の一例となるデジタルカメラ１の外観を示す図である。
【００１４】
図１（ａ）に示すようにカメラボディ１ａの正面中央にある撮影レンズ１１によって被写体像を捉えて撮影が行なわれる。この撮影レンズ１１によりデジタルカメラ１内部にある固体撮像素子に被写体を結像させ、被写体を表わす画像データを生成している。
【００１５】
この固体撮像素子で生成した画像データに基づいてスルー画像を表示する画像表示装置の表示パネル１２が図１（ｂ）に示すようにデジタルカメラの背面に設けられている。この画像表示装置の表示パネル１２に表示されているスルー画像をファインダ代わりにして撮影が行なわれる。またその表示パネル１２の上部には直視型のファインダ１３が設けられており、このファインダ１３を通してフレーミングを行なうこともできる。またデジタルカメラ１の右横にはこのデジタルカメラ１に所望の動作を行わせるための操作子群１４が設けられている。
【００１６】
さらに図１（ａ）に示す撮影レンズ１１の右斜め上方には閃光発光窓１５が設けられており、被写界輝度が足りない場合には、カメラ内部の閃光発光部からこの窓を通してフラッシュが発光され撮影が行なわれる。
【００１７】
図２はこのデジタルカメラ１の内部の構成を示す図で、特に電源系統を示す図である。
【００１８】
このデジタルカメラ１はメモリ（ＦＬＡＳＨＲＯＭ）１０１内に格納されたプログラムの処理手順にしたがって処理を行なうＣＰＵ１００に統括的に制御される。
【００１９】
まず、このデジタルカメラ１で撮影が行なわれたときの撮影データの流れを簡単に説明する。
【００２０】
このデジタルカメラ１では画像表示装置をファインダ代わりに使用することができるようにスルー画像を図１（ｂ）に示す表示パネル１２ａに表示させている。このスルー画像を表示させるため、フレーミングが変わる度にモータドライバ１１１によりフォーカスレンズ１１を合焦点に移動させ、フレーミングが変わっても焦点のあったスルー画像を常に表示パネル１２に表示させるようにしている。この焦点のあったスルー画像を見ながらシャッタチャンスにレリーズ操作が行なわれたら、ＣＰＵ１００は、固体撮像素子（ここではＣＣＤ固体撮像素子、以下ＣＣＤという）１１０にレリーズ操作時の画像を結像させるため、タイミングジェネレータ１１２からタイミング信号を供給させる。このタイミング信号はＣＣＤ１１０に露光開始および露光終了を告げるものでありいわゆるシャッタスピードに相当する。ＣＰＵ１００はこの露光終了時にＣＣＤ１１０から画像データ（ＲＧＢの光の３原色Ｒ，Ｇ、Ｂからなる）を出力させ、後段のＣＤＳＡＭＰ１１３に供給させる。そうしたらＣＤＳＡＭＰ１１３でそのＣＣＤ１１０から出力された画像データの雑音が低減され、その雑音が低減された画像データがＡ／Ｄ変換部１１４でデジタル信号に変換される。このＡ／Ｄ変換部１１４でデジタル信号に変換されたＲＧＢからなる画像データは、後段の画像データ入力コントローラ１１５によりバス１１６を介してＳＤＲＡＭ１１７に供給され、このＳＤＲＡＭ１１７にＣＣＤ１１０のすべての画素の画像データが記憶される。すべての画素データに対応する画像データがＳＤＲＡＭ１１７に記憶されたら、ＣＰＵ１００が画像信号処理部１１８の画像処理プロセスを起動させ、その画像処理プロセスによってＳＤＲＡＭ１１７の画像データを読み出させ、ＹＣ信号への変換を行なわせる。さらにこの画像処理部１１８の画像処理プロセスが終了したことをＣＰＵ１００が検知したら、ＣＰＵ１００は圧縮処理部１１９のＪＰＥＧプロセスを起動させ、ＪＰＥＧプロセスによって画像データの圧縮を行なわせる。この圧縮処理部１１９での圧縮が完了したことをＣＰＵ１００が検知したら、次に記録処理プロセスを起動させ、ＪＰＥＧ圧縮された画像データをメモリコントローラ１２０により記録用メモリ１２１に記録させる。また、画像データに基づいて被写界輝度が暗いことをＣＰＵ１００が検出したときには、ＣＰＵ１００は閃光発光部１３０に指示を出してフラッシュを発光させる。
【００２１】
なお、図２に示すエンコーダ１２ｂは画像表示装置の表示パネルに画像を表示させるために符合の変換を行なう部分であり、外部通信回路１２２は、例えば携帯電話に接続してこのデジタルカメラで撮影された画像を表わす画像データを他の通信機器に送信する場合、あるいは他の通信機器からの画像データを受信する場合に用いられる。
【００２２】
以上のように撮影を行なうときには図２に示す各部が動作して撮影に係る処理が行なわれる。このように各部に撮影に係る処理を行なわせるためには図２に示す各部に電力を供給しなければならないので、図２に示すＤＣ／ＤＣコンバータ１４０を用いてバッテリからの入力電圧を複数の電圧の電力に変換して各部に電力が供給されている。この複数の電圧は異なる電圧であっても、同じ電圧であっても良い。ここでは、ＣＤＳＡＭＰ１１３、ＡＤ変換部１１４、画像入力コントローラ１１５を１ブロック（点線で囲んだ部分Ａ）、またＣＰＵ１００、メモリ１０１、メモリ１１７、画像信号処理回路１１８、圧縮処理回路１１９、外部通信回路１２２、エンコーダ１２ｂ、メモリコントローラ１２０、記録用メモリ１２１の信号処理部を１ブロック（点線で囲んだ部分Ｂ）、さらにＣＣＤ１１０を１ブロック、タイミングジェネレータ１１２を１ブロック、閃光発光部１３０を１ブロック、画像表示装置１２を１ブロックとして計７系統の電力ブロックに分けて電力の供給が行なわれている。なお、ＣＤＳＡＭＰ，ＡＤ変換部、画像入力コントローラからなる１ブロック（点線で囲んだ部分Ａ）にはアナログ部とデジタル部が混在しているので、２つの電力供給経路を設けて異なる電圧の電力を供給しているため、実際には電力供給経路が8系統になっている。
【００２３】
このＤＣ／ＤＣコンバータから出力される複数の電圧の電力それぞれの電力供給経路ここでは８つの電力供給経路に対応して各経路上に電力が供給されているか否かに応じて態様が変化する各表示素子ここでは各発光ダイオードＬＥＤ１〜ＬＥＤ８が設けられている。
【００２４】
これら各発光ダイオードは、８系統の電力供給経路から異なる電圧の電力の供給をそれぞれ受けて別々に点灯するようにそれぞれ接続されており、いずれかの電力供給経路での電力の供給が断たれると、その断たれた電力供給経路の発光ダイオードが消灯する。もし図２の×の部分に断線などが起きてコンバータから電力が供給されなくなると、点灯していた発光ダイオードＬＥＤ８が消灯する。これら発光ダイオードＬＥＤ１〜ＬＥＤ８が点灯から消灯にいたる変化が本発明にいう態様の変化に当たる。
【００２５】
図３は、このデジタルカメラのカメラボディ底面に配設された各発光素子の配置を示す図である。
【００２６】
図３に示すように、デジタルカメラのカメラボディ１ａ底面付近にある電池装填室１０ａ近傍に８つの発光ダイオードＬＥＤ１〜ＬＥＤ８が並べて配設されている。電源投入時に、これらの発光ダイオードＬＥＤ１〜ＬＥＤ８がすべて点灯してそれらのうち、いずれかが消灯したらその消灯したことが外部から視認され故障している箇所が特定される。
【００２７】
なお、この例ではカメラボディ１ａ底面に発光ダイオードＬＥＤ１〜ＬＥＤ８を設けたが、外部から視認することができるようであればデジタルカメラ内部のどこに配置されていても構わない。
【００２８】
図４は表示素子として発光ダイオードＬＥＤ１〜ＬＥＤ８の代わりに例えば７セグメントのＬＣＤ表示器１５０、１５１を設けた例である。
【００２９】
このようにしても同様の効果が得られる。図４に示すように１つの発光ダイオードに１セグメントを対応させれば良く、発光ダイオードであれば８つ必要なところが、２つのＬＣＤ表示器１５０，１５１で済むという利点がある。このときには、例えば正常であれば双方８を表示させ、故障が起きたときはその故障の箇所に応じていずれかのセグメントを消灯させ、その消灯させた箇所が故障であることを特定するような構成になる。
【００３０】
以上説明したように、本発明によれば、電力供給経路を測定器で測定しなくても、電力が供給されていない電力供給経路の箇所を特定することができる機器を提供することができる。
【図面の簡単な説明】
【００３１】
【図１】機器の一例となるデジタルカメラの外観を示す図である。
【図２】このカメラの内部の構成を示す図で、特に電源系統を示す図である。
【図３】カメラ底面に配設された複数のＬＥＤの配置を示す図である。
【図４】図は発光素子の代わりにセグメントのＬＣＤ表示器を設けた例である。
【符号の説明】
【００３２】
１    デジタルカメラ
１ａ    カメラボディ
１１    撮影レンズ
１２    画像表示装置
１２ａ    表示パネル
１３    ファインダ
１４    操作子群
１５    閃光発光窓
１６    レリーズ釦
１１０    ＣＣＤ
１１１    モータドライバ
１１２    タイミングジェネレータ
１１３    ＣＤＳＡＭＰ
１１４    Ａ／Ｄ変換部
１１５    画像入力コントローラ
１１６    バス
１１７    メモリ（ＳＤＲＡＭ）
１１８    画像信号処理回路
１１９    圧縮処理回路
１２０    メモリコントローラ
１２１    記録用メモリ
ＬＥＤ１〜ＬＥＤ８    発光ダイオード
１３０    閃光発光部
１４０    ＤＣ／ＤＣコンバータ
１５０    セグメント表示器
【図１】
2005064935.tif 000003
【図２】
2005064935.tif 000004
【図３】
2005064935.tif 000005
【図４】
2005064935.tif 000006